(57)【要約】【課題】制限された文字数内で、検索時のヒット率が高い、オークション出品商品のタイトルを生成し得る、タイトル生成装置、それを用いたインターネットオークションシステム、更には、タイトル生成方法及びプログラムを提供する。【解決手段】インターネットオークションに出品される商品のタイトルを生成するタイトル生成装置１を用いる。タイトル生成装置１は、複数個のキーワードの入力を受け付け、キーワード毎に、当該キーワードをタイトルに含み、且つ、既に入札が終了している商品の落札数と、当該キーワードをタイトルに含み、且つ、入札可能な商品の出品数とを取得する情報取得部２と、落札数と出品数とから各キーワードに順位を設定する順位設定部３と、設定された順位の順に、制限文字数の範囲内に収まるように、キーワードを選び出し、選び出したキーワードを含むタイトルを生成する生成部４とを備えている。【選択図】図１
2010108019.tif 000002
【特許請求の範囲】
【請求項１】
インターネットオークションに出品される商品のタイトルを生成するタイトル生成装置であって、
外部からの複数個のキーワードの入力を受け付け、前記複数個のキーワードそれぞれ毎に、当該キーワードをタイトルに含み、且つ、既に入札が終了している商品の落札数と、当該キーワードをタイトルに含み、且つ、入札可能な商品の出品数とを取得する情報取得部と、
前記落札数と前記出品数とから、前記複数個のキーワードそれぞれに順位を設定する順位設定部と、
設定された順位が高い順に、制限文字数の範囲内に収まるように、前記キーワードを選び出し、選び出した前記キーワードを含むタイトルを生成する生成部とを備えている、ことを特徴とするタイトル生成装置。
【請求項２】
前記順位設定部が、前記複数個のキーワードそれぞれ毎に、前記落札数を前記出品数で除して落札率を算出し、算出した落札率の高い順に、前記複数個のキーワードそれぞれに順位を設定する、請求項１に記載のタイトル生成装置。
【請求項３】
前記情報取得部が、更に、期間の入力を受け付け、前記落札数として、入札が終了した時期又は入札が開始された時期が前記期間内である商品の落札数を取得する、請求項１または２に記載のタイトル生成装置。
【請求項４】
前記複数個のキーワードの全部又は一部に対応する類義語を生成する類義語生成部を、更に備え、
前記情報取得部が、更に、前記類義語毎に、当該類義語をタイトルに含み、且つ、既に入札が終了している商品の落札数と、当該類義語をタイトルに含み、且つ、入札可能な商品の出品数とを取得し、
前記順位設定部が、前記類義語について取得した前記落札数と前記出品数とを更に用い、前記複数個のキーワードに前記類義語を合わせた状態で順位を設定し、
前記生成部が、設定された順位が高い順に、前記制限文字数の範囲内に収まるように、前記キーワード及び前記類義語を選び出し、選び出した前記キーワード及び前記類義語を含むタイトルを生成する、請求項１〜３のいずれかに記載のタイトル生成装置。
【請求項５】
前記情報取得部が、更に、前記制限文字数の入力を受け付ける、請求項１〜４のいずれかに記載のタイトル生成装置。
【請求項６】
前記生成部が、前記制限文字数よりも少ない文字数の範囲内に収まるように、前記キーワードを選び出す、請求項１〜４のいずれかに記載のタイトル生成装置。
【請求項７】
インターネットオークションサイトを提供するサーバ装置と、前記インターネットオークションサイトに出品される商品のタイトルを生成するタイトル生成装置とを備え、
前記タイトル生成装置は、
外部からの複数個のキーワードの入力を受け付け、前記複数個のキーワードそれぞれ毎に、当該キーワードをタイトルに含み、且つ、既に入札が終了している商品の落札数と、当該キーワードをタイトルに含み、且つ、入札可能な商品の出品数とを取得する情報取得部と、
前記落札数と前記出品数とから、前記複数個のキーワードそれぞれに順位を設定する順位設定部と、
設定された順位が高い順に、制限文字数の範囲内に収まるように、前記キーワードを選び出し、選び出した前記キーワードを含むタイトルを生成する生成部とを備えている、ことを特徴とするインターネットオークションシステム。
【請求項８】
前記順位設定部が、前記複数個のキーワードそれぞれ毎に、前記落札数を前記出品数で除して落札率を算出し、算出した落札率の高い順に、前記複数個のキーワードそれぞれに順位を設定する、請求項７に記載のインターネットオークションシステム。
【請求項９】
前記情報取得部が、更に、期間の入力を受け付け、前記落札数として、入札が終了した時期又は入札が開始された時期が前記期間内である商品の落札数を取得する、請求項７または８に記載のインターネットオークションシステム。
【請求項１０】
前記複数個のキーワードの全部又は一部に対応する類義語を生成する類義語生成部を、更に備え、
前記情報取得部が、更に、前記類義語毎に、当該類義語をタイトルに含み、且つ、既に入札が終了している商品の落札数と、当該類義語をタイトルに含み、且つ、入札可能な商品の出品数とを取得し、
前記順位設定部が、前記類義語について取得した前記落札数と前記出品数とを更に用い、前記複数個のキーワードに前記類義語を合わせた状態で順位を設定し、
前記生成部が、設定された順位が高い順に、前記制限文字数の範囲内に収まるように、前記キーワード及び前記類義語を選び出し、選び出した前記キーワード及び前記類義語を含むタイトルを生成する、請求項７〜９のいずれかに記載のインターネットオークションシステム。
【請求項１１】
前記情報取得部が、更に、前記制限文字数の入力を受け付ける、請求項７〜１０のいずれかに記載のタイトル生成装置。
【請求項１２】
前記生成部が、前記制限文字数よりも少ない文字数の範囲内に収まるように、前記キーワードを選び出す、請求項７〜１１のいずれかに記載のインターネットオークションシステム。
【請求項１３】
インターネットオークションに出品される商品のタイトルを生成するためのタイトル生成方法であって、
（ａ）複数個のキーワードの入力を受け付けるステップと、
（ｂ）前記複数個のキーワードそれぞれ毎に、当該キーワードをタイトルに含み、且つ、既に入札が終了している商品の落札数と、当該キーワードをタイトルに含み、且つ、入札可能な商品の出品数とを取得するステップと、
（ｃ）前記（ｂ）のステップで取得された前記落札数と前記出品数とから、前記複数個のキーワードそれぞれに順位を設定するステップと、
（ｄ）前記（ｃ）のステップで設定された順位が高い順に、制限文字数の範囲内に収まるように、前記キーワードを選び出し、選び出した前記キーワードを含むタイトルを生成するステップとを有する、ことを特徴とするタイトル生成方法。
【請求項１４】
前記（ｃ）のステップにおいて、前記複数個のキーワードそれぞれ毎に、前記落札数を前記出品数で除して落札率を算出し、算出した落札率の高い順に、前記複数個のキーワードそれぞれに順位を設定する、請求項１３に記載のタイトル生成方法。
【請求項１５】
前記（ａ）のステップで、更に、期間の入力を受け付け、
前記（ｂ）のステップで、前記落札数として、入札が終了した時期又は入札が開始された時期が、前記（ａ）のステップで入力が受け付けられた期間以内である商品の落札数を取得する、請求項１３または１４に記載のタイトル生成方法。
【請求項１６】
（ｅ）前記複数個のキーワードの全部又は一部に対応する類義語を生成するステップを、更に有し、
前記（ｂ）のステップで、更に、前記（ｅ）のステップで生成された前記類義語毎に、当該類義語をタイトルに含み、且つ、既に入札が終了している商品の落札数と、当該類義語をタイトルに含み、且つ、入札可能な商品の出品数とを取得し、
前記（ｃ）のステップで、前記類義語について取得した前記落札数と前記出品数とを更に用い、前記複数個のキーワードに前記類義語を合わせた状態で順位を設定し、
前記（ｄ）のステップで、設定された順位が高い順に、前記制限文字数の範囲内に収まるように、前記キーワード及び前記類義語を選び出し、選び出した前記キーワード及び前記類義語を含むタイトルを生成する、請求項１３〜１５のいずれかに記載のタイトル生成方法。
【請求項１７】
前記（ａ）のステップで、更に、前記制限文字数の入力を受け付ける、請求項１３〜１６のいずれかに記載のタイトル生成方法。
【請求項１８】
前記（ｄ）のステップで、前記制限文字数よりも少ない文字数の範囲内に収まるように、前記キーワードを選び出す、請求項１３〜１７のいずれかに記載のタイトル生成方法。
【請求項１９】
コンピュータ装置によって、インターネットオークションに出品される商品のタイトルを生成させるためのプログラムであって、
前記コンピュータ装置に、
（ａ）複数個のキーワードの入力を受け付けるステップと、
（ｂ）前記複数個のキーワードそれぞれ毎に、当該キーワードをタイトルに含み、且つ、既に入札が終了している商品の落札数と、当該キーワードをタイトルに含み、且つ、入札可能な商品の出品数とを取得するステップと、
（ｃ）前記（ｂ）のステップで取得された前記落札数と前記出品数とから、前記複数個のキーワードそれぞれに順位を設定するステップと、
（ｄ）前記（ｃ）のステップで設定された順位が高い順に、制限文字数の範囲内に収まるように、前記キーワードを選び出し、選び出した前記キーワードを含むタイトルを生成するステップとを実行させる、ことを特徴とするプログラム。
【請求項２０】
前記（ｃ）のステップにおいて、前記複数個のキーワードそれぞれ毎に、前記落札数を前記出品数で除して落札率を算出し、算出した落札率の高い順に、前記複数個のキーワードそれぞれに順位を設定する、請求項１６に記載のプログラム。
【請求項２１】
前記（ａ）のステップで、更に、期間の入力を受け付け、
前記（ｂ）のステップで、前記落札数として、入札が終了した時期又は入札が開始された時期が、前記（ａ）のステップで入力が受け付けられた期間以内である商品の落札数を取得する、請求項１９または２０に記載のプログラム。
【請求項２２】
前記コンピュータ装置に、
（ｅ）前記複数個のキーワードの全部又は一部に対応する類義語を生成するステップを、更に実行させ、
前記（ｂ）のステップで、更に、前記（ｅ）のステップで生成された前記類義語毎に、当該類義語をタイトルに含み、且つ、既に入札が終了している商品の落札数と、当該類義語をタイトルに含み、且つ、入札可能な商品の出品数とを取得し、
前記（ｃ）のステップで、前記類義語について取得した前記落札数と前記出品数とを更に用い、前記複数個のキーワードに前記類義語を合わせた状態で順位を設定し、
前記（ｄ）のステップで、設定された順位が高い順に、前記制限文字数の範囲内に収まるように、前記キーワード及び前記類義語を選び出し、選び出した前記キーワード及び前記類義語を含むタイトルを生成する、請求項１９〜２１のいずれかに記載のプログラム。
【請求項２３】
前記（ａ）のステップで、更に、前記制限文字数の入力を受け付ける、請求項１９〜２２のいずれかに記載のプログラム。
【請求項２４】
前記（ｄ）のステップで、前記制限文字数よりも少ない文字数の範囲内に収まるように、前記キーワードを選び出す、請求項１９〜２３のいずれかに記載のプログラム。
【発明の詳細な説明】
【技術分野】
【０００１】
本発明は、タイトル生成装置、それを用いたインターネットオークションシステム、タイトル生成方法及びプログラムに関する。
【背景技術】
【０００２】
近年、インターネットの普及により、インターネットを利用したオークションサイトが登場し、いわゆるインターネットオークションが行われるようになっている。インターネットオークションは、誰もが自由に出品や入札を行えるため、人気が高く、盛んに行われている（例えば、特許文献１参照）。
【０００３】
また、インターネットオークションでは、出品される商品の数が多く、その種類は多岐に渡るため、利用者（入札者）は、多くの出品商品の中から、自己が求める商品を見つけ出す必要がある。通常、利用者は、オークションサイトが提供する検索システムを利用して、自己が求める商品を見つけ出している。
【０００４】
一方、出品者においては、自己の出品商品が少しでも多くの利用者の目にとまり、数多く入札してもらうことが重要である。つまり、出品商品が、出来る限り高額で落札されるようにするためには、検索時における出品商品のヒット率を高めることが重要である。
【０００５】
また、検索システムは、出品商品のタイトルを対象にして検索を行うため、出品商品のヒット率は、そのタイトルに左右される。よって、出品者は、検索システムが自己の出品商品を出来るだけ多くヒットするよう、タイトルに工夫を凝らす必要がある。
【特許文献１】特開２００８−１３４６８１号公報（第１図−第３図）
【発明の開示】
【発明が解決しようとする課題】
【０００６】
しかしながら、検索時のヒット率が高いタイトルとすることは、出品者の経験やノウハウによるところが大きく、出品経験の浅い出品者にとっては困難である。しかも、通常、オークションサイトは、出品商品のタイトルの文字数に制限を設けており、タイトルに、関連する言葉を出来る限り多く盛り込むといった手法をとることも不可能である。
【０００７】
本発明の目的は、上記問題を解消し、制限された文字数内で、検索時のヒット率が高い、オークション出品商品のタイトルを生成し得る、タイトル生成装置、それを用いたインターネットオークションシステム、更には、タイトル生成方法及びプログラムを提供することにある。
【課題を解決するための手段】
【０００８】
上記目的を達成するために本発明におけるタイトル生成装置は、インターネットオークションに出品される商品のタイトルを生成するタイトル生成装置であって、
外部からの複数個のキーワードの入力を受け付け、前記複数個のキーワードそれぞれ毎に、当該キーワードをタイトルに含み、且つ、既に入札が終了している商品の落札数と、当該キーワードをタイトルに含み、且つ、入札可能な商品の出品数とを取得する情報取得部と、
前記落札数と前記出品数とから、前記複数個のキーワードそれぞれに順位を設定する順位設定部と、
設定された順位が高い順に、制限文字数の範囲内に収まるように、前記キーワードを選び出し、選び出した前記キーワードを含むタイトルを生成する生成部とを備えている、ことを特徴とする。
【０００９】
上記目的を達成するため本発明におけるインターネットオークションシステムは  インターネットオークションサイトを提供するサーバ装置と、前記インターネットオークションサイトに出品される商品のタイトルを生成するタイトル生成装置とを備え、
前記タイトル生成装置は、
外部からの複数個のキーワードの入力を受け付け、前記複数個のキーワードそれぞれ毎に、当該キーワードをタイトルに含み、且つ、既に入札が終了している商品の落札数と、当該キーワードをタイトルに含み、且つ、入札可能な商品の出品数とを取得する情報取得部と、
前記落札数と前記出品数とから、前記複数個のキーワードそれぞれに順位を設定する順位設定部と、
設定された順位が高い順に、制限文字数の範囲内に収まるように、前記キーワードを選び出し、選び出した前記キーワードを含むタイトルを生成する生成部とを備えている、ことを特徴とする。
【００１０】
また、上記目的を達成するため本発明におけるタイトル生成方法は、インターネットオークションに出品される商品のタイトルを生成するためのタイトル生成方法であって、
（ａ）複数個のキーワードの入力を受け付けるステップと、
（ｂ）前記複数個のキーワードそれぞれ毎に、当該キーワードをタイトルに含み、且つ、既に入札が終了している商品の落札数と、当該キーワードをタイトルに含み、且つ、入札可能な商品の出品数とを取得するステップと、
（ｃ）前記（ｂ）のステップで取得された前記落札数と前記出品数とから、前記複数個のキーワードそれぞれに順位を設定するステップと、
（ｄ）前記（ｃ）のステップで設定された順位が高い順に、制限文字数の範囲内に収まるように、前記キーワードを選び出し、選び出した前記キーワードを含むタイトルを生成するステップとを有する、ことを特徴とする。
【００１１】
更に、上記目的を達成するため本発明におけるプログラムは、  コンピュータ装置によって、インターネットオークションに出品される商品のタイトルを生成させるためのプログラムであって、
前記コンピュータ装置に、
（ａ）複数個のキーワードの入力を受け付けるステップと、
（ｂ）前記複数個のキーワードそれぞれ毎に、当該キーワードをタイトルに含み、且つ、既に入札が終了している商品の落札数と、当該キーワードをタイトルに含み、且つ、入札可能な商品の出品数とを取得するステップと、
（ｃ）前記（ｂ）のステップで取得された前記落札数と前記出品数とから、前記複数個のキーワードそれぞれに順位を設定するステップと、
（ｄ）前記（ｃ）のステップで設定された順位が高い順に、制限文字数の範囲内に収まるように、前記キーワードを選び出し、選び出した前記キーワードを含むタイトルを生成するステップとを実行させる、ことを特徴とする。
【発明の効果】
【００１２】
以上のように、本発明におけるタイトル生成装置、インターネットオークションシステム、タイトル生成方法及びプログラムによれば、制限された文字数内で、検索時のヒット率が高い、オークション出品商品のタイトルを生成することができる。
【発明を実施するための最良の形態】
【００１３】
（実施の形態１）
以下、本発明の実施の形態１におけるタイトル生成装置、インターネットオークションシステム、タイトル生成方法及びプログラムについて、図１〜図６を参照しながら説明する。最初に、本実施の形態１におけるタイトル生成装置及びインターネットオークションシステムの構成について図１を用いて説明する。図１は、本発明の実施の形態１におけるタイトル生成装置及びインターネットオークションシステムの構成を示すブロック図である。
【００１４】
図１に示すように、タイトル生成装置１は、インターネットオークションサイトを提供するサーバ装置（オークションサイトサーバ）１０と共に、インターネットオークションシステムを構築している。本実施の形態１では、オークションサイトサーバ１０は、インターネットオークションを運営する業者のサーバ装置である。オークションサイトサーバ１０は、出品情報記憶部１１を備えている。出品情報記憶部１１には、例えば、出品者名、出品者のID、商品のタイトル、商品のカテゴリ、入札数、入札価格、及び入札期間等といった、現在出品されている商品に関する情報（出品情報）が格納されている。
【００１５】
本実施の形態１においては、タイトル生成装置１は、インターネット３０を介してオークションサイトサーバ１０に接続されている。また、タイトル生成装置１及びオークションサイトサーバ１０は、インターネット３０を介して、インターネットオークションを利用する利用者（出品者または入札者）の端末装置２０に接続されている。
【００１６】
このようなインターネットオークションシステムにおいて、タイトル生成装置１は、出品者の端末装置２０から、インターネットオークションサイトに出品する商品のタイトルの生成が求められると、その出品される商品のタイトルを生成する。
【００１７】
図１に示すように、タイトル生成装置１は、情報取得部２と、順位設定部３と、生成部４とを備えている。情報取得部２は、外部の端末装置２０から指示された複数個のキーワードの入力を受け付け、複数個のキーワードそれぞれ毎に、過去の落札数と現在の出品数とを取得する。ここで、「過去の落札数」とは、当該キーワードをタイトルに含み、且つ、既に入札が終了している商品の落札数をいう。また、「現在の出品数」とは、当該キーワードをタイトルに含み、且つ、現在、入札可能な商品の出品数をいう。
【００１８】
順位設定部３は、過去の落札数と現在の出品数とから、複数個のキーワードそれぞれに順位を設定する。生成部４は、設定された順位が高い順に、制限文字数の範囲内に収まるように、キーワードを選び出し、選び出したキーワードを含むタイトルを生成する。なお、「順位が高い」とは、設定された順位を表す番号が若いことをいう。よって、順位が「１」となったキーワードが最初に選び出されることとなる。
【００１９】
このように、タイトル生成装置１は、過去の落札数と現在の出品数とに基づいてキーワードに順位を設定し、更に、制限文字数の範囲内で、順位が高いキーワードを選択し、選択したキーワードを用いてタイトルを生成する。そして、順位が高いキーワード程、後述するように検索時のヒット率が高いキーワードと考えられるので、得られたタイトルも、検索時のヒット率が高いものとなる。以下に、本実施の形態１におけるタイトル生成装置１の構成及び機能について更に具体的に説明する。
【００２０】
本実施の形態１では、タイトル生成装置１は、更に、通信部５と、履歴情報記憶部６とを備えている。通信部５は、タイトル生成装置１とインターネット３０とを接続するインターフェイスであり、オークションサイトサーバ１０及び端末装置２０からの情報は、通信部５を介して情報取得部２及び履歴情報記憶部６に送られる。また、生成部４が生成した情報は、通信部５を介して、端末装置２０へと送信される。
【００２１】
履歴情報記憶部６は、過去に出品されていた商品に関する情報（履歴情報）、例えば、商品のタイトル、入札数、落札の有無、落札価格、入札期間（入札開始時期、入札終了時期）等を格納している。具体的には、履歴情報記憶部６は、定期的に、オークションサイトサーバ１０にアクセスする。そして、履歴情報記憶部６は、アクセス時にオークションサイトに表示されている情報、例えば、出品されている商品のタイトル、最終の入札数、入札開始時、入札終了時等を、出品されている商品毎に取得する。履歴情報記憶部６は、取得した情報を設定された期間の間保存する。本実施の形態１では、履歴情報記憶部６によって定期的に取得された情報が、上述の履歴情報となる。
【００２２】
また、本実施の形態１では、タイトル生成装置１は、出品者からのキーワードの入力を受け付けるためのＷｅｂサイトを提供している。出品者は、端末装置２０によって、このＷｅｂサイトにアクセスし、Ｗｅｂサイト上で複数個のキーワードを入力できるようになっている。出品者は、自己が出品する商品のタイトルの候補となるキーワードを入力すれば良い。例えば、出品者が、自転車を出品したいと考える場合は、図２に示すキーワードを入力する。図２は、入力されたキーワードの一例を示す図である。
【００２３】
図２の例では、「自転車」、「４段変速」、「白」、「２４インチ」の４つのキーワードが入力され、情報取得部２によって、これらのキーワードの入力が受け付けられる。また、本実施の形態１では、出品者は、端末装置２０を介して、制限文字数、及び期間も入力でき、情報取得部２は、これらの情報の入力も受け付けることができる。
【００２４】
具体的には、「制限文字数」の入力が受け付けられる場合は、出品者は、制限文字数として、自己が出品予定のオークションサイトが設定している制限文字数や、これよりも少ない文字数を入力できる。後者の場合は、出品者が、生成部４が生成したタイトル（図５参照）に、後から、助詞をつける場合に有効となる。
【００２５】
また、「期間」の入力が受け付けられる場合は、出品者は、２００Ｘ年の○月から２００Ｙ年の△月のように、過去の期間を特定する情報（期間の起算時、期間の終了時等）を入力することができる。この場合、本実施の形態１では、情報取得部２は、「過去の落札数」として、入札が終了した時期又は入札が開示された時期が、入力された「期間」内である商品について、その落札数を取得する。このように期間の入力が可能な態様では、過去の落札数の取得の際に、商品の特性が考慮されるため、後述する落札率の精度の向上が図られる。
【００２６】
例えば、出品される商品が毎年同じ時期に流行する商品（例えば、クリスマスグッズ等）である場合は、「期間」として昨年以前の流行期間（数ヶ月程度）が入力される。一方、出品される商品が流行に左右されない商品である場合は、期間として、現時点から遡った長い期間（数年程度）が入力される。なお、情報取得部２は、「期間」の入力を月単位で受け付けても良いし、日単位で受け付けても良い。
【００２７】
また、本実施の形態１では、情報取得部２は、履歴情報記憶部６に格納されている履歴情報を検索し、過去の落札数を取得することができる。また、情報取得部２は、オークションサイトサーバ１０にアクセスし、出品情報記憶部１１に格納されている情報から、現在の出品数を取得することができる。具体的には、情報取得部２は、オークションサイトサーバ１０に、キーワード毎の現在の出品数のデータを送るように、リクエストを送信する。オークションサイトサーバ１０は、リクエストを許可する場合は、出品情報記憶部１１から、求められているデータを抽出し、それをタイトル生成装置１に送信する。また、情報取得部２は、履歴情報記憶部６が取得した最新の情報から得られる出品数を、「現在の出品数」として取得しても良い。
【００２８】
本実施の形態１においては、順位設定部３は、複数個のキーワードそれぞれ毎に、過去の落札数を現在の出品数で除して落札率を算出する。そして、順位設定部３は、算出した落札率の高い順に、入力された複数個のキーワードそれぞれに順位を設定する。
【００２９】
ここで、順位設定部３で行われる処理について図３及び図４を用いて説明する。図３は、図１に示すタイトル生成装置における処理の原理を説明するための図である。図３に示すように、落札希望者数が多く、出品数が少ない商品ほど、高額で落札される傾向にある（図３中のＣの欄参照）。このことから、落札希望者数が多く、出品数が少ない商品のタイトルは、利用者によって頻繁に検索され、多くの利用者の目に留まっていると考えることができる。
【００３０】
また、現在未だ出品されていない商品について、落札希望者が多くなるかどうかを知ることは困難であるが、落札希望者数は、過去の同様の商品の落札数を調べることにより予測できると考えられる。よって、本実施の形態１では、調査対象となっているキーワード毎に、各キーワードを含む商品タイトルが付けられた商品の過去の落札数が求められる。更に、これを、各キーワードを含む商品タイトルが付けられた商品の現在の出品数で割り、得られた値（即ち、落札率）がキーワード毎に比較される。そして、本実施の形態１では、落札率が高いキーワード程、落札希望者数が多く、出品数が少ない商品のタイトルとなっていると推測される。
【００３１】
図４は、図１に示すタイトル生成装置における処理結果の一例を示す図である。図４には、図２に示されたキーワードについて取得された「過去の落札数」及び「現在の出品数」と、これらから算出された「落札率」とが示されている。図４に示すように、図２に示されたキーワードに対しては、順位設定部３は、「白」、「自転車」、「２４インチ」、「４段変速」の順に、順位を設定する。
【００３２】
また、本実施の形態１では、制限文字数が、例えば「１０文字」に設定されているため、生成部４は、１０文字の範囲内に収まるように、上位の「白」、「自転車」、「２４インチ」を選び出し、これらによってタイトルを生成する。
【００３３】
図５は、図１に示すタイトル生成装置によって生成されたタイトルの一例を示す図である。図５に示すように、本実施の形態１では、タイトルは「白自転車２４インチ」となる。その後、生成部４によって生成されたタイトルは、通信部５に送られ、通信部５からインターネット３０を介して、キーワードを入力した端末装置２０に送信される。
【００３４】
更に、本実施の形態１では、生成部４は、入力された制限文字数よりも少ない文字数の範囲内に収まるように、キーワードを選び出すこともできる。例えば、生成部４は、タイトルとして「白  自転車」を生成することもできる。この場合は、出品者は、得られたタイトルに、オークションサイトが設定している制限文字数の範囲内で、助詞を追加できる。例えば、出品者は「白い自転車」とすることができる。
【００３５】
次に、本発明の実施の形態１におけるタイトル生成方法について図６を用いて説明する。図６は、本発明の実施の形態１におけるタイトル生成方法の主なステップを示すフロー図である。但し、本実施の形態１におけるタイトル生成方法は、図１に示した本実施の形態１におけるタイトル生成装置を動作させることによって実施される。このため、以下の説明は、適宜図１〜図５を参酌しながら、図１に示すタイトル生成装置１の動作説明と共に行う。
【００３６】
図６に示すように、出品者が、端末装置２０を介して、複数個のキーワードを入力すると、先ず、情報取得部２によって、これらの入力が受け付けられる（ステップＳ１）。本実施の形態１においては、出品者は、キーワードに加え、制限文字数（例えば１０文字等）及び期間も入力でき、情報取得部２は、これらの入力も受け付けている。
【００３７】
次に、情報取得部２によって、複数個のキーワードそれぞれ毎に、過去の落札数と現在の出品数との取得が行われる（ステップＳ２）。具体的には、ステップＳ２においては、過去の落札数として、ステップＳ１で入力された期間内に入札が終了した商品の落札数が取得されている。
【００３８】
次に、順位設定部３によって、キーワード毎に、ステップＳ２で取得された過去の落札数と現在の出品数とを用いて、落札率が算出される（ステップＳ３）。ステップＳ２及びステップＳ３の結果は、例えば、図４に示すものとなる。
【００３９】
続いて、順位設定部３によって、ステップＳ３で算出された落札率に基づいて、各キーワードに順位が設定される（ステップＳ４）。この場合、落札率が高いキーワード程、順位は高くなる。
【００４０】
更に、順位設定部３によって、ステップＳ１で入力された制限文字数の範囲内に収まるように、ステップＳ４で設定された順で、キーワードが選び出され、図５に示すようにタイトルが生成される（ステップＳ５）。また、生成されたタイトルは、通信部５から、インターネット３０を介して、キーワードを入力した端末装置２０に送信され、その後、タイトル生成装置１における処理が終了する。
【００４１】
このように、本実施の形態１におけるタイトル生成方法を実行すれば、過去の落札数と現在の出品数とに基づいて、入力されたキーワードに順位が設定される。更に、制限文字数の範囲内で、順位が高いキーワードが選択され、そして、選択されたキーワードからタイトルが生成される。また、上述したように、順位が高いキーワード程、検索時のヒット率が高いキーワードと考えられるので、得られたタイトルも、検索時のヒット率が高いものとなる。
【００４２】
本実施の形態１におけるプログラムは、コンピュータ装置に、図６に示すステップＳ１〜Ｓ５を実行させるプログラムであるのが良い。この場合、本実施の形態１におけるプログラムをコンピュータ装置にインストールし、実行させれば、本実施の形態１におけるタイトル生成装置１を実現できる。また、この場合、コンピュータ装置のＣＰＵ（central  processing  unit）が、情報取得部２、順位設定部３、及び生成部４として機能し、上述した処理を行なう。
【００４３】
また、本実施の形態１におけるタイトル生成装置１は、オークションサイトサーバ１０の一部であっても良く、この場合は、出品者は、オークションサイト上で、タイトルの生成を行うことができる。更に、本実施の形態１におけるタイトル生成装置１は、端末装置２０自体であっても良い。
【００４４】
（実施の形態２）
次に、本発明の実施の形態２におけるタイトル生成装置、インターネットオークションシステム、タイトル生成方法及びプログラムについて、図７〜図１１を参照しながら説明する。最初に、本実施の形態２におけるタイトル生成装置及びインターネットオークションシステムの構成について図７を用いて説明する。図７は、本発明の実施の形態２におけるタイトル生成装置及びインターネットオークションシステムの構成を示すブロック図である。
【００４５】
図７に示すように、本発明の実施の形態２におけるタイトル生成装置７も、実施の形態１におけるタイトル生成装置１と同様に、オークションサイトサーバ１０と共に、インターネットオークションシステムを構築している。また、タイトル生成装置７も、実施の形態１におけるタイトル生成装置１と同様に、出品者の端末装置２０から、インターネットオークションサイトに出品する商品のタイトルの生成が求められると、その出品される商品のタイトルを生成する。
【００４６】
但し、本実施の形態２においては、タイトル生成装置７は、実施の形態１におけるタイトル生成装置１と異なり、類義語生成部８を備えている。また、タイトル生成装置７は、類義語生成部８を備えることに伴い、情報取得部２、順位設定部３及び生成部４における処理においても、実施の形態１におけるタイトル生成装置１と異なっている。なお、これらの点以外については、本実施の形態２におけるタイトル生成装置７及びインターネットオークションシステムは、実施の形態１におけるタイトル生成装置１及びインターネットオークションシステムと同様に構成されている。以下、実施の形態１との相違点について説明する。
【００４７】
類義語生成部８は、入力された複数個のキーワードの全部又は一部に対応する類義語を生成する。図８は、入力されたキーワードと類義語との一例を示す図である。図８に示すように、本実施の形態２では、類義語生成部８は、情報取得部２が入力を受け付けたキーワードを特定し、その一つである「白」に対して、その類義語である「ホワイト」と「ｗｈｉｔｅ」とを生成する。
【００４８】
具体的には、タイトル生成装置７は、類義語辞書９を備えている。類義語生成部８は、入力された各キーワードと同一の語が、類義語辞書９に登録されているかどうかの判定を行う。判定の結果、登録されている場合は、類義語生成部８は、その類義語を類義語辞書９から抽出し、これを情報取得部２に入力する。なお、類義語辞書９に登録されている類義語は、図８に示した例のように概念的に同一である複数の語に限定されず、例えば、芸能人の現在の芸名と過去の芸名とが互いに類義語であるとして登録されていても良い。
【００４９】
本実施の形態２では、情報取得部２は、入力された各キーワードについての過去の落札数及び現在の出品数に加え、各類義語についての過去の落札数と現在の出品数も取得する。なお、類義語についての「過去の落札数」とは、当該類義語をタイトルに含み、且つ、既に入札が終了している商品の落札数をいう。類義語についての「現在の出品数」とは、当該類義語をタイトルに含み、且つ、入札可能な商品の出品数をいう。
【００５０】
また、本実施の形態２では、順位設定部３は、類義語についての現在の出品数と、類義語についての現在の出品数とを更に用い、複数個のキーワードに類義語を合わせた状態で、順位を設定する。図９は、図７に示すタイトル生成装置における処理結果の一例を示す図である。具体的には、図９に示すように、順位設定部３は、各キーワードについての落札率に加え、各類義語についても落札率を算出する。そして、キーワードと類義語とのそれぞれに、両者を総合した場合の順位を設定する。
【００５１】
生成部４は、設定された順位が高い順に、制限文字数の範囲内に収まるように、キーワード及び類義語を選び出し、選び出したキーワード及び類義語を含むタイトルを生成する。本実施の形態２においては、図９に示したように、落札率の大きい順に、「白」、「ホワイト」、「自転車」、「２４インチ」、「ｗｈｉｔｅ」、「４段変速」となる。
【００５２】
図１０は、図７に示すタイトル生成装置によって生成されたタイトルの一例を示す図である。本実施の形態２においても、制限文字数は、「１０文字」に設定さている。よって、図１０に示すように、生成部４は、タイトルとして「白ホワイト自転車」を生成する。本実施の形態２においても、生成部４によって生成されたタイトルは、通信部５に送られ、通信部５からインターネット３０を介して、キーワードを入力した端末装置２０に送信される。
【００５３】
次に、本発明の実施の形態２におけるタイトル生成方法について図１１を用いて説明する。図１１は、本発明の実施の形態２におけるタイトル生成方法の主なステップを示すフロー図である。但し、本実施の形態２におけるタイトル生成方法は、図７に示した本実施の形態２におけるタイトル生成装置を動作させることによって実施される。このため、以下の説明は、適宜図７〜図１０を参酌しながら、図７に示すタイトル生成装置７の動作説明と共に行う。
【００５４】
図１１に示すように、出品者が、端末装置２０を介して、複数個のキーワードを入力すると、先ず、情報取得部２によって、これらの入力が受け付けられる（ステップＳ１１）。ステップＳ１１は、図６におけるステップＳ１と同様のステップである。本実施の形態２においても、出品者は、キーワードに加え、制限文字数及び期間を入力する。情報取得部２は、これらの入力も受け付けている。
【００５５】
次に、本実施の形態２においては、類義語生成部８によって、入力された複数個のキーワードの全部又は一部に対応する類義語が生成される（ステップＳ１２）。本実施の形態２では、上述したように、入力されたキーワードの一つである「白」に対して、その類義語である「ホワイト」と「ｗｈｉｔｅ」とが生成されている。
【００５６】
次に、情報取得部２によって、複数個のキーワードそれぞれと、ステップＳ１２で生成された類義語それぞれとについて、過去の落札数と現在の出品数との取得が行われる（ステップＳ１３）。ステップＳ１３においては、過去の落札数としては、ステップＳ１１で入力された期間内に入札が終了した商品の落札数が取得されている。
【００５７】
次に、順位設定部３によって、キーワード及び類義語それぞれについて、ステップＳ１３で取得された過去の落札数と現在の出品数とを用いて、落札率が算出される（ステップＳ１４）。ステップＳ１３及びステップＳ１４の結果は、例えば、図９に示すものとなる。
【００５８】
続いて、順位設定部３によって、ステップＳ１４で算出された落札率に基づいて、各キーワード及び各類語について、両者を合わせた総合順位が設定される（ステップＳ１５）。この場合、落札率が高いキーワード及び類義語程、順位は高くなる。
【００５９】
更に、順位設定部３によって、ステップＳ１１で入力された制限文字数の範囲内に収まるように、ステップＳ１５で設定された順位が高い順で、キーワード及び類義語が選び出され、図１０に示すようにタイトルが生成される（ステップＳ１６）。また、生成されたタイトルは、通信部５から、インターネット３０を介して、キーワードを入力した端末装置２０に送信され、その後、タイトル生成装置７における処理が終了する。なお、ステップＳ１６では、落札率の算出結果によっては、キーワードのみ、又は類義語のみが選び出される場合もある。
【００６０】
このように、本実施の形態２においては、出品者が入力したキーワードに加え、類義語も含めて、タイトルが生成される。よって、本実施の形態２によれば、実施の形態１に比べて、検索時のヒット率が更に向上した、タイトルの生成が可能になる。
【００６１】
また、本実施の形態２におけるプログラムは、コンピュータ装置に、図１１に示すステップＳ１１〜Ｓ１６を実行させるプログラムであるのが良い。この場合、本実施の形態２におけるプログラムをコンピュータ装置にインストールし、実行させれば、本実施の形態２におけるタイトル生成装置７を実現できる。この場合、コンピュータ装置のＣＰＵ（central  processing  unit）が、情報取得部２、順位設定部３、生成部４、及び類義語生成部８として機能し、上述した処理を行なう。また、類義語辞書９は、コンピュータ装置に備えられたハードディスク等の記憶装置に、これを構成するデータファイルを格納することによって実現できる。
【００６２】
また、本実施の形態２におけるタイトル生成装置７も、実施の形態１におけるタイトル生成装置１と同様に、オークションサイトサーバ１０の一部であっても良く、この場合は、出品者は、オークションサイト上で、タイトルの生成を行うことができる。更に、本実施の形態２におけるタイトル生成装置７が、端末装置２０自体となっても良い。
【産業上の利用可能性】
【００６３】
以上のように、本発明によれば、制限された文字数内で、検索時のヒット率が高い、オークション出品商品のタイトルを生成することができる。本発明は、インターネットオークションシステムに適用でき、産業上の利用可能性を有している。
【図面の簡単な説明】
【００６４】
【図１】図１は、本発明の実施の形態１におけるタイトル生成装置及びインターネットオークションシステムの構成を示すブロック図である。
【図２】図２は、入力されたキーワードの一例を示す図である。
【図３】図３は、図１に示すタイトル生成装置における処理の原理を説明するための図である。
【図４】図４は、図１に示すタイトル生成装置における処理結果の一例を示す図である。
【図５】図５は、図１に示すタイトル生成装置によって生成されたタイトルの一例を示す図である。
【図６】図６は、本発明の実施の形態１におけるタイトル生成方法の主なステップを示すフロー図である。
【図７】図７は、本発明の実施の形態２におけるタイトル生成装置及びインターネットオークションシステムの構成を示すブロック図である。
【図８】図８は、入力されたキーワードと類義語との一例を示す図である。
【図９】図９は、図７に示すタイトル生成装置における処理結果の一例を示す図である。
【図１０】図１０は、図７に示すタイトル生成装置によって生成されたタイトルの一例を示す図である。
【図１１】図１１は、本発明の実施の形態２におけるタイトル生成方法の主なステップを示すフロー図である。
【符号の説明】
【００６５】
１  タイトル生成装置（実施の形態１）
２  情報取得部
３  順位設定部
４  生成部
５  通信部
６  履歴情報記憶部
７  タイトル生成装置（実施の形態２）
８  類義語生成部
９  類義語辞書
１０  オークションサイトサーバ（サーバ装置）
１１  出品情報記憶部
２０  端末装置
３０  インターネット
【図１】
2010108019.tif 000003
【図２】
2010108019.tif 000004
【図３】
2010108019.tif 000005
【図４】
2010108019.tif 000006
【図５】
2010108019.tif 000007
【図６】
2010108019.tif 000008
【図７】
2010108019.tif 000009
【図８】
2010108019.tif 000010
【図９】
2010108019.tif 000011
【図１０】
2010108019.tif 000012
【図１１】
2010108019.tif 000013